(57)【要約】【課題】誤結線のおそれがなく、しかも、コストダウンと配線工事の省力化を実現することができる壁スイッチを提供する。【解決手段】壁スイッチ７に、電源１を接続可能な対の接続端子と、負荷としての電灯２を接続可能な対の接続端子とが備えられ、これら接続端子に電源１と電灯２とを接続することで、電灯２のスイッチ操作を行うことができるようになされており、また、この壁スイッチ７にはコンセント４を接続可能な対の接続端子も備えられている。【選択図】      図１
2004187415.tif 000002
【特許請求の範囲】
【請求項１】
電源を接続可能な対の接続端子と、負荷を接続可能な対の接続端子とが備えられ、これら接続端子に電源と負荷とを接続することで、負荷のスイッチ操作を行うことができるようになされていることを特徴とする壁スイッチ。
【請求項２】
更にコンセントを接続可能な対の接続端子が備えられている請求項１に記載の壁スイッチ。
【発明の詳細な説明】
【０００１】
【発明の属する技術分野】
本発明は、壁スイッチに関する。
【０００２】
【従来の技術及び課題】
照明等の負荷を壁スイッチでオンオフ切り換えられるようにする方法として、従来より、図３（イ）に示すように、電源５１からの一方の配線と負荷５２からの一方の配線とをそれぞれ接続コネクター５３の端子に接続すると共に、電源５１からのもう一方の配線と負荷５２からのもう一方の配線とを壁スイッチ５７の端子に接続するようにしたものである。また、コンセント５４を備えさせる場合には、その一方の配線を接続コネクター５３の端子に接続すると共に、もう一方の配線を壁スイッチ５７の端子に接続する。これにより、負荷５２は壁スイッチ５７を操作することでオンオフ切り換えられ、また、このスイッチ操作にかかわりなくコンセント５４に電気機器を接続することで電気機器に通電することができる。なお、５５はボックスで、接続コネクター５３を用いる場合は、結線はボックス５５内で行われる。
【０００３】
しかしながら、上記の方法では、電源５１や負荷５２、コンセント５４の一方の配線は接続コネクター５３の接続端子に接続し、もう一方の配線は壁スイッチ５７の接続端子に接続するというようにして結線していかなければならず、結線作業において誤結線を生じるおそれがあるという問題がある。
【０００４】
そのため、図３（ロ）に示すように、ワイヤリングユニット５６を用い、電源５１、負荷５２、壁スイッチ５７、コンセント５４からの配線をすべてワイヤリングユニット５６に集中接続するようにしたものがある。
【０００５】
しかし、ワイヤリングユニット５６を用いた集中接続方式では、配線接続箇所が多くなり、コストアップを招くと共に、配線工事に手間を要するという問題がある。
【０００６】
本発明は、上記のような従来の問題点に鑑み、誤結線のおそれがなく、しかも、コストダウンと配線工事の省力化を実現することができる壁スイッチを提供することを課題とする。
【０００７】
【課題を解決するための手段】
上記の課題は、電源を接続可能な対の接続端子と、負荷を接続可能な対の接続端子とが備えられ、これら接続端子に電源と負荷とを接続することで、負荷のスイッチ操作を行うことができるようになされていることを特徴とする壁スイッチによって解決される。また、この壁スイッチにおいて、更にコンセントを接続可能な対の接続端子が備えられている壁スイッチによって解決される。
【０００８】
上記の壁スイッチでは、電源を接続可能な対の接続端子と、負荷を接続可能な対の接続端子とが備えられているので、電源からの対の配線と負荷からの対の配線を集中接続方式で壁スイッチの接続端子に接続すればよく、接続コネクターの場合のような誤結線のおそれをなくすことができる。更に、コンセントを接続可能な対の接続端子が備えられている場合には、電源からの対の配線と負荷からの対の配線とコンセントからの対の配線を同じく集中接続方式で壁スイッチの接続端子に接続すればよく、コンセントについても誤結線のおそれをなくすことができる。
【０００９】
しかも、壁スイッチに上記のような結線機能が備えられているので、電源と負荷のそれぞれの対の配線、あるいは、電源と負荷とコンセントのそれぞれの対の配線を壁スイッチの接続端子に接続するだけでよく、ワイヤリングユニットを用いる場合に比べて、簡素な構造でこれらの結線を成し得てコストダウンを図ることができると共に、配線工事を省力化することができる。
【００１０】
なお、壁スイッチに備えられる接続端子には、電源を接続する対の接続端子であることや、負荷を接続する対の接続端子であることを示す、色、記号、図形などによる標示がなされているのがよく、それにより、結線作業を誤りなく能率良く行っていくことができる。コンセントを接続する対の接続端子が備えられている場合も、コンセントを接続する対の接続端子であることを示す標示がなされているとよい。
【００１１】
【発明の実施の形態】
次に、本発明の実施形態を図面に基づいて説明する。
【００１２】
図１に示す第１実施形態は、例えば、住宅等の建物の屋内において用いられる壁スイッチについてのもので、１は電源、２は負荷としての電灯、４はコンセント、そして、７は壁スイッチである。
【００１３】
壁スイッチ７には、スイッチ部７ａが１つ備えられると共に、接続端子８ａ〜８ｆと導体による回路部とが備えられ、これらの接続端子８ａ〜８ｆに、電源１からの対の配線１ａ，１ｂと、電灯２からの対の配線２ａ，２ｂと、コンセント４からの対の配線４ａ，４ｂとを接続することにより、スイッチ部７ａを開閉操作することで電灯２をオンにしたりオフにしたりすることができ、スイッチ部７ａの開閉の状態にかかわらず、コンセント４に図示しない電気機器を接続することで電気機器に通電することができるようになされている。
【００１４】
上記の壁スイッチ７では、このように、電源１からの対の配線１ａ，１ｂと電灯２からの対の配線２ａ，２ｂとコンセント４からの対の配線４ａ，４ｂとを集中接続方式でこの壁スイッチ７の接続端子８ａ〜８ｆに接続すればよく、従来の接続コネクター使用の場合のような誤結線のおそれをなくすことができる。
【００１５】
しかも、壁スイッチ７にこのような結線機能が備えられていることで、電源１からの対の配線１ａ，１ｂと、電灯２からの対の配線２ａ，２ｂと、コンセント４からの対の配線４ａ，４ｂを壁スイッチ７に備えられた接続端子８ａ〜８ｆに接続するだけでよく、ワイヤリングユニットによる集中接続方式の場合に比べて簡素な構造でこれらの結線を成し得てコストダウンを図ることができると共に、配線工事を省力化することができる。
【００１６】
図２に示す第２実施形態は、負荷としての電灯２が２つ備えられ、壁スイッチ７には２つのスイッチ部７ａ，７ａと、導体による回路部と接続端子８ａ〜８ｈとが備えられ、接続端子８ａ〜８ｈに、電源１からの対の配線１ａ，１ｂと、各電灯２，２からの対の配線２ａ，２ｂ，２ａ，２ｂと、コンセント４からの対の配線４ａ，４ｂを接続することにより、スイッチ部７ａ，７ａを個別に開閉操作することで電灯２，２を個別にオンにしたりオフにしたりすることができ、スイッチ部７ａ，７ａの開閉の状態にかかわらずコンセント４に電気機器を接続することで電気機器に通電することができるようになされている。
【００１７】
この壁スイッチ７についても、接続コネクター使用の場合のような誤結線をなくすことができると共に、ワイヤリングユニットを使用する場合に比べてコストダウンを図ることができると共に配線工事を省力化することができる。因みに、図４は、従来例で、電灯５２と壁スイッチ５７とをそれぞれ２つ備えさせる場合において、接続コネクター５３を用いて結線を行ったものであり、電源５１や電灯５２，５２、コンセント５４からの一方の配線を接続コネクター５３の接続端子に接続し、もう一方の配線を壁スイッチ５７の接続端子に接続していかなければならず、誤結線を生じるおそれが高い。
【００１８】
以上に、本発明の実施形態を示したが、本発明はこれに限られるものではなく、発明思想を逸脱しない範囲で各種の変更が可能である。例えば、上記の実施形態では、壁スイッチ７が負荷２のオンとオフの状態の切り換えを行う形式のものからなる場合を示したが、これに限らず、本発明の壁スイッチは、各種状態の切り換えを行うものであってよい。また、負荷が電灯２である場合を示しているが、本発明では、電灯以外の様々な負荷に広く適用することができるものである。また、負荷は３つ以上接続できるようになされていてもよい。更に、コンセントについては、２つ以上接続できるようになされていてもよいし、接続できない構造となっていてもよい。
【００１９】
【発明の効果】
本発明は、以上のとおりのものであるから、誤結線のおそれがなく、しかも、コストダウンと配線工事の省力化を実現することができる。
【図面の簡単な説明】
【図１】第１実施形態の壁スイッチを用いた結線回路図である。
【図２】第２実施形態の壁スイッチを用いた結線回路図である。
【図３】図（イ）（ロ）はそれぞれ従来の結線回路図である。
【図４】従来の更に他の結線回路図である。
【符号の説明】
１…電源
２…電灯（負荷）
４…コンセント
７…壁スイッチ
８ａ〜８ｈ…接続端子
【図１】
2004187415.tif 000003
【図２】
2004187415.tif 000004
【図３】
2004187415.tif 000005
【図４】
2004187415.tif 000006